(57)【要約】      （修正有）【課題】  建地パイプ間に手摺枠や巾木を設置するために、従来の枠組足場に加えて、できるだけ追加部材とその取り付けや取り外しが発生せず、手摺枠や巾木を固定する際にも、設置した手摺枠や巾木にガタが発生せず、容易に設置できる枠組足場の手摺枠又は巾木、及びその掛止金具を提供する。【解決手段】  左右一対の縦材と、縦材の上端をつなぐ横材とで構成した手摺枠、又は巾木の左右両端に一対の掛け金具30を設け、建枠２の建地パイプ2aの上下端部に挿入し連結する連結ピン10の外周に一対の係止片12を突出して設け、前記掛け金具30を係止片12に掛止して建地パイプ2a間に手摺枠や巾木を設置する。【選択図】  図１
2006249837.tif 000002
【特許請求の範囲】
【請求項１】
左右一対の縦材と、縦材の上端をつなぐ横材とで構成した手摺枠、又は巾木の左右両端に一対の掛け金具を設け、建枠の建地パイプの上下端部に挿入し連結する連結ピンの外周に一対の係止片を突出して設け、前記掛け金具を係止片に掛止して建地パイプ間に設置する枠組足場の手摺枠又は巾木。
【請求項２】
左右一対の縦材と、縦材の上端をつなぐ横材とで構成した手摺枠、又は巾木の左右両端に一対の掛け金具を設け、建枠の建地パイプの上下端部に挿入し連結する連結ピンの外周に一対の係止片を突出して設け、前記掛け金具を係止片に掛止して建地パイプ間に設置する手摺枠又は巾木の、掛け金具と係止片とからなる枠組足場の手摺枠又は巾木の掛止金具であって、
係止片は平面視略Ｔ字で上下に長く、前記略Ｔ字の鍔部が連結ピン外周から互いに外方へとなるよう一対に突出して設け、掛け金具には前記係止片の鍔部に上方から被る鞘管部を設け、前記鍔部と鞘管部内面は略同じ傾きの下方へ大のテーパー部を有し、両テーパーの鍔部と鞘管部内面とが当接して、くさび式に掛止、固定される手摺枠又は巾木の掛止金具。
【請求項３】
係止片の、連結ピン外周から突出する方向の端部までの寸法が、建枠の建地パイプの直径の1/2以下とした請求項２記載の手摺枠又は巾木の掛止金具。
【発明の詳細な説明】
【技術分野】
【０００１】
本発明は、建設現場などで使用される枠組足場において、事故防止のために設ける手摺枠や巾木、及びそれらを設置、固定するための金具の構造に関する。
【背景技術】
【０００２】
建設現場などで使用される枠組足場は、門形をした２本の建枠をブレースで連結し、建枠頂部の横桟パイプの間に布板を載置したものをユニットとし、このユニットを建設現場の幅と高さに応じて左右・上下に連結して枠組足場を構成する。
【０００３】
その際、上下の建枠同士は互いの建地パイプに挿入され、中央部に建地パイプの端部を支持するカラーを有する連結ピンによって連結される。また、通常連結ピンは建枠の建地パイプの上端に挿入された状態で保管、使用される。
【０００４】
作業員が布板に立って作業するときは、最上段以外はブレースが安全柵の役目を果たすが、その開口は大きい。したがって、安全に作業するためには手摺枠や巾木を設置するのが望ましいとされている。
【０００５】
また、枠組足場の組立、解体時においては、最上段の布板上には建枠やブレースが存在しないため非常に危険である。したがって、近年手摺が常に最上段に先行する手摺先行工法が奨励されており、様々な先行手摺が開発されている。
【０００６】
このような手摺として、実開平６−５６３１９号公報には、建枠の連結ピンに上方から差し込んで、簡易クランプで建枠に固定するブラケットを設け、ブラケットには両側に上方開口の内管を設け、一方、鋼管を蓋型に曲げ、下桟には鋼管か巾木を設けて手摺枠を構成し、連結ピン間に掛け渡すようにその両下端を前記ブラケットの内管に上方から差し込んで設置する手摺枠が示されている。
【０００７】
この手摺枠は、各々の連結ピンの位置に上記ブラケットを設置すると、そのブラケットに設けた内管に向かって、手摺枠を上方から差し込むという簡単な操作で手摺枠を設置できるものである。また、この手摺枠は建枠間全てに渡って設置することにより、作業者の墜落が無い安全作業が確保される。
【特許文献１】実開平６−５６３１９号
【発明の開示】
【発明が解決しようとする課題】
【０００８】
しかしながら、上記の従来技術において、全ての建枠の連結ピンに新たにブラケットを必要数用意し、取り付けや取り外しを行うことは煩わしく、ブラケットの費用や工数、運搬や機材保管のコスト増大といった問題がある。したがって、従来の枠組足場に加えて、できるだけ追加部材が発生せず、その取り付けや取り外しが無いことが望ましい。
【０００９】
また、例えばブラケットの両側に設けた内管と手摺枠を円形パイプで構成した場合、手摺枠を内管に挿入するためには、内管の内径よりも手摺枠を構成するパイプの外径を細くする必要がある。その差がわずかであっても、内管の内径と手摺枠の外径との隙間によって、設置した手摺枠にガタが生じてしまう。手摺枠に触れた程度でガタが生じてしまっては、作業者に不安感を与えてしまう問題がある。
【００１０】
また、一人の作業員で左右二ヶ所の内管めがけて、略同じ太さの手摺枠を差し込むのは容易ではない。差し込みやすいよう配慮して内管の内径を大きくしても、上記のガタの問題が発生してしまうし、二人作業となってしまってはそれだけ人手が必要となってしまう。
【００１１】
そこで本発明は、建地パイプ間に手摺枠や巾木を設置するために、従来の枠組足場に加えてできるだけ追加部材とその取り付けや取り外しが発生せず、手摺枠や巾木を固定する際にも、設置した手摺枠や巾木にガタが発生せず、容易に設置できる枠組足場の手摺枠又は巾木、及びその掛止金具を提供することを目的とする。
【課題を解決するための手段】
【００１２】
上記の目的を達成するため、請求項１に係る枠組足場１の手摺枠又は巾木は、左右一対の縦材と、縦材の上端をつなぐ横材とで構成した手摺枠、又は巾木の左右両端に一対の掛け金具30を設け、建枠２の建地パイプ2aの上下端部に挿入し連結する連結ピン10の外周に一対の係止片12を突出して設け、前記掛け金具30を係止片12に掛止して建地パイプ2a間に設置するものである。
【００１３】
請求項２に係る枠組足場１の手摺枠又は巾木の掛止金具30は、左右一対の縦材と、縦材の上端をつなぐ横材とで構成した手摺枠、又は巾木の左右両端に一対の掛け金具30を設け、建枠２の建地パイプ2aの上下端部に挿入し連結する連結ピン10の外周に一対の係止片12を突出して設け、前記掛け金具30を係止片12に掛止して建地パイプ2a間に設置する手摺枠又は巾木の、掛け金具30と係止片12とからなる枠組足場１の手摺枠又は巾木の掛止金具であって、係止片12は平面視略Ｔ字で上下に長く、前記略Ｔ字の鍔部12aが連結ピン10外周から互いに外方へとなるよう一対に突出して設け、掛け金具30には前記係止片12の鍔部12aに上方から被る鞘管部30bを設け、前記鍔部12aと鞘管部30b内面は略同じ傾きの下方へ大のテーパー部を有し、両テーパーの鍔部12aと鞘管部30b内面とが当接して、くさび式に掛止、固定されるものである。
【００１４】
また、請求項３に係る枠組足場１の手摺枠又は巾木の掛止金具は、係止片12の、連結ピン10外周から突出する方向の端部までの寸法が、建枠２の建地パイプ2aの直径の1/2以下としたものである。
【発明の効果】
【００１５】
請求項１の発明によれば、手摺枠又は巾木の左右両端に一対の掛け金具30を設け、連結ピン10の外周に一対の係止片12を突出して設け、前記掛け金具30を係止片12に掛止して設置する手摺枠や巾木において、前記掛け金具30を掛止するための係止片12を建枠２から取り外し不要な連結ピン10外周に設けたから、別途ブラケット等の追加部材の取り付けや取り外しを行う必要なく手摺枠や巾木を設置でき、作業コストを削減できる。
【００１６】
請求項２の発明によれば、連結ピン10の外周に設けた一対の係止片12の鍔部12aと、前記係止片12に被る掛け金具30の鞘管部30b内面は、略同じ傾きの下方へ大のテーパー部を有し、両テーパーの鍔部12aと鞘管部30b内面とが当接して、くさび式に掛止、固定されるから、設置した手摺枠や巾木にガタが生じず、作業者に不安感を与えない。
【００１７】
また、係止片12の鍔部12aと鞘管部30b内面は、略同じ傾きの下方へ大のテーパー部を有し、掛け金具30の鞘管部30bを係止片12へ被せる際に、鞘管部30b下端の入口は広く、係止片12の上端は狭く構成されるから、一人の作業者でも容易に掛止することができる。
【００１８】
請求項３の発明によれば、係止片12の連結ピン10外周から突出する方向の端部までの寸法が、建枠２の建地パイプ2aの直径の1/2以下とし、連結ピン10を取り付けた建枠２を順次交互にすることで積み重ねることができるから、その運搬・保管が容易となる。
【発明を実施するための最良の形態】
【００１９】
従来の枠組足場に加えて、できるだけ追加部材とその取り付けや取り外しが発生せず、建地パイプ2a間に手摺枠や巾木を設置するという目的を、手摺枠又は巾木の左右両端に一対の掛け金具30を設け、建枠２から取り外し不要な連結ピン10の外周に一対の係止片12を突出して設け、前記掛け金具30を係止片12に掛止することで手摺枠又は幅木を設置可能とした。
【００２０】
また、手摺枠又は巾木を設置するための掛止金具であって、設置した手摺枠や巾木にガタを生じさせないという目的を、連結ピン10の外周から突出した係止片12に、手摺枠又は巾木に設けた掛け金具30の鞘管部30bをくさび式に掛止、固定することで実現した。
【実施例１】
【００２１】
図１は、本発明の第一実施形態として手摺枠20を枠組足場１の桁側に設置したものである。枠組足場１は複数の門形をした建枠２が平行に立設され、その建枠２をブレース４で連結し、建枠２の上端間に布板３を載置して作業者の足場としたものである。
【００２２】
建枠２は、主に垂直方向に平行な一対の建地パイプ2aと、建地パイプ2aの上端付近をつなぐ水平方向の横桟パイプ2bからなり、それらは円形鋼管によって構成されている。本実施例で示す建枠２は高さ170cm、幅約122cm、その設置間隔は約183cmで、建地パイプ2aは直径42.7mm、板厚2.3mmの鋼管である。
【００２３】
建枠２の建地パイプ2aの各々の頂部には、上段へと建枠２を連結して設置するための連結ピン10を上方から挿入する。図６に示すように連結ピン10は、上下の建地パイプ2aに挿入する部分である上挿入部11a、下挿入部11bを有する連結パイプ11と、その中央部に設けた一対の係止板15からなる。
【００２４】
連結パイプ11は建地パイプ2aの内径よりもやや小さな外径の円形鋼管である。本実施例では、長さ300mm、外径36.4mmのものを用いた。
【００２５】
一対の係止片12として、連結パイプ11の中央部には連結パイプ11を水平方向から挟みこむ一対の係止板15を設ける。係止板15は鋼板をプレス成形したもので、その中央は上下に渡って平面視半円状に湾曲させ、一対で連結パイプ11を挟み込んだとき、その外周にリング状に密着するようにする。
【００２６】
係止板15の中央の湾曲した部分には孔を設け、一対の係止板15で連結パイプ11中央部を挟み込み、芯通しで連結パイプ11を貫通してボルト・ナットで固定する。
【００２７】
係止板15の中央湾曲部分から左右へは、やや平面とし、両端はそれぞれ外方へと直角に立ち上げる。この際、その立ち上げ高さは、下方に向かうにしたがい高くなるようテーパーに形成し、下端はさらに段状に突出するストッパー15aを設ける。２枚の係止板15の対向する端面間の寸法を鍔幅とすると、本実施例では上端の鍔幅は24mm、テーパーの下端で40mm、テーパーの角度を下方へ向かって約5°とし、テーパー部分の上下寸法は100mmとした。
【００２８】
連結パイプ11の中央部外周には、一対の係止板15の中央湾曲部分が重なって太径となる。その太径の部分より下方が下挿入部11bとして建地パイプ2a上端に挿入され、上方が上挿入部11aとして上段の建地パイプ2aの下端に挿入される。太径の部分はカラーの役割を果たして両建地パイプ2aの端部を受け、上下の建地パイプ2aを連結する。
【００２９】
また、上下挿入部11a、11bにはそれぞれ芯通しで貫通するピン孔11c、11dを設け、建地パイプ2aの対応した位置にも孔を設けておく。それらを連通してピン等を挿入することで、連結ピン10が上下の建地パイプ2aから抜けないよう固定することができる。
【００３０】
上記のように、垂直方向を芯とした連結パイプ11の中央部に、一対の係止板15で水平方向から挟み込んで固定することで、連結ピン10外周から一対の係止片12が突出するように構成する。２枚の係止板15の左右の端部が、それぞれ外方へと直角に立ち上がって平面視略Ｔ字を構成し、その略Ｔ字の鍔部12aが下方へ大のテーパーに形成されることになる。なお、係止片12が連結ピン10から突出する方向は、建枠２の門形に直交する方向となるよう建地パイプ2aに固定する。
【００３１】
また、連結ピン10の中央部の太径外周から係止片12の突出する方向の端部までの寸法が、建枠の建地パイプの直径の1/2以下となるよう構成する。そうすることで、図８から図11に示すように、連結ピン10を建地パイプ2aの上端に取り付けたまま、建枠２を順次交互にすることで積み重ねることができる。したがって、運搬や保管で、従来の建枠２と取扱いを変える必要は無い。
【００３２】
一方、手摺枠20は、主として左右一対の縦材21と縦材21の上端をつなぐ横材22とで構成し、手摺枠20中央部には横材22と平行に上横桟23、下横桟24を設け、下横桟24の中央にはＵ字状の手摺取手25を設ける。
【００３３】
左右一対の縦材21と横材22は円管を曲げて一体に構成する。横材22と平行な上横桟23、下横桟24で両縦材21をつなぐことにより、一体に構成した両縦材21が開くの防止し、手摺枠20の中央部の開口を減らして、作業員が手摺枠20から転落するのを防止する。
【００３４】
下横桟24の中央から下方に設けたＵ字状の手摺取手25は、作業員が手摺枠20を上方に持ち上げるための取手となる。なお、上記のように構成した手摺枠20は、作業現場で持ち運ぶことが多いため、できるだけ軽量なことが望ましい。本実施例においてはアルミ製の円形パイプで手摺枠20を構成し、各部材の接合は溶接により行った。
【００３５】
手摺枠20の左右一対の縦材21下端にはそれぞれ掛け金具30を設ける。掛け金具30は図６に示すように、縦材21下端を支持、固定する固定部30aと縦材21からそれぞれ左右外方へと突出する鞘管部30bとからなる。
【００３６】
掛け金具30はプレス成形した対称な掛止板31を互いに重ね合わせて構成する。掛止板31の固定部30aに位置には円形パイプの縦材21の外周に密着するよう上下に渡って平面視略半円状に湾曲させ、その湾曲中央に孔を設け、対称な２枚の掛止板31を互いに重ね合わせて、手摺枠20の縦材21下端を握るように挟みこみ、縦材21を貫通してボルト、ナットにより固定する。
【００３７】
掛止板31の鞘管部30bの位置は、それぞれ端部を上下に渡って略し字状に外方へと立ち上げた形状で、その立ち上げ高さを下方へ向かうにしたがい大きくなるようにしておく。略し字状に立ち上げた高さ方向を幅方向とすると、対称な２枚の掛止板31を互いに重ね合わせることで、幅方向が下方に向かうにしたがい大となる略テーパー筒状の鞘管部30bを形成する。
【００３８】
このとき、鞘管部30bのテーパーの傾きは上記係止片12の鍔部12aの傾きと略同一とし、かつ幅方向で、鞘管部30bのテーパー下端の内寸法を鍔部12aのテーパー下端の鍔幅よりもやや小さくしておく。つまり、鞘管部30bの下方から係止片12の鍔部12aを挿入したとき、鞘管部30bの内面が当接して、きつく嵌るよう構成する。本実施例では、鞘管部30bの幅方向の内寸法は上端で25mm、下端で39mmとし、上下寸法は85mmとした。
【００３９】
上記のように掛け金具30を構成し、テーパー筒状の鞘管部30bを係止片12の鍔部12aに上方から被せると、鍔部12a上端が鞘管部30bのやや上方に達するまですっぽりと被った状態となる。しかし、上記のように幅方向で鞘管部30bテーパー下端の内寸法を鍔部12aのテーパー下端の鍔幅よりもやや小さく構成しているから、くさびの効果が発生し、きつく嵌りこむ。したがって、掛け金具30と係止片12とが部分的に隙間無く上下に渡って当接し、ガタが無く掛止される。
【００４０】
本実施例では、鍔部12aの下端に段状に突出するストッパー15aを設けている。これは、鞘管部30bを被せたときに下端をストッパー15aに当接させて、自重によって過剰に嵌りこむのを防止するためである。そうすることで、掛け金具30を取り外す際も大きな力を必要としない。
【００４１】
また、手摺枠20の縦材21上の、掛け金具30と下横桟24との間には回動可能な係止フック40を設ける。係止フック40は丸棒を略６字状に成形したもので、その輪形部分には手摺枠20の縦材21が挿入され、他端はＬ状に折り曲げておく。なお、係止フック40自体は縦材21を軸として自由に回動可能となっており、下方へは掛け金具30、上方へは下横桟24があって手摺枠20から外れないようになっている。
【００４２】
一方、連結ピン10の係止片12の上端付近にはフック孔15bを設けておく。手摺枠20に設けた掛け金具30を係止片12に掛止した際に、上記の係止フック40のＬ字先端をフック孔15bに係止することで、不用意に掛け金具30が上方へ抜けるのを防止することができる。
【００４３】
次に上記の手摺枠の使用方法について説明する。
【００４４】
上記の桁側に設置する手摺枠20の使用方法としては、枠組足場１の最上段に設置する先行手摺として利用が最適である。まず、本実施例で示すような一対の係止片12を設けた連結ピン10を全ての建枠２の建地パイプ2a上端に挿入して固定し、その建枠２を順次立設してブレース４で連結する。
【００４５】
次に、手摺取手25を持って手摺枠20を上方に持ち上げ、連結ピン10に設けた係止片12に手摺枠20の掛け金具30を掛止して、手摺枠20を連結ピン10間に掛け渡すように掛止する。そして、手摺枠20の掛け金具30と下横桟24との間に設けた係止フック40をフック孔15bに係止し、不用意に手摺枠20が外れないようにする。
【００４６】
上記のように、掛止金具によって引っ掛けるというような簡単な動作で上段に手摺枠20を設置でき、別途手摺枠を設けるための追加部材の取り付けや取り外しは不要である。また、くさび式に掛止、固定されるので設置した手摺枠20にガタが発生せず、作業者に不安感を与えない。
【００４７】
掛け金具30を係止片12に掛止する際にも、係止片12の鍔部12aと鞘管部30b内面を両テーパーに構成し、鍔部12aの上端に対して、鞘管部30b下端の入口を広く構成することで、非常に掛止しやすい。
【００４８】
次に、建枠２の横桟パイプ2b間に掛け渡して布板３を載置する。作業員がその布板３上（上段）に移動すると、既に桁側に手摺枠20が設置されているので安全に作業することができる。なお、図２には手摺枠20を外側と建屋側の両側に取り付けた状態を示しているが、両側に取り付けることにより、親綱や安全帯を使用することなく作業効率と安全性が向上する。
【００４９】
次に、上段で順次連結ピン10の上挿入部11aに建枠２を差し込んでいく。あとはブレース４を取り付け、下段と順次同様に上段へと繰り返して、枠組足場１を組み立てる。このとき、現在の段に設けられた手摺枠20は建枠２とブレース４を設置した後に取り外し、上段へと盛りかえる（付けかえる）ようにしても良いし、各段に手摺枠20を設置したままでも良い。なお、枠組足場1の解体時はその逆の手順で行えばよい。
【実施例２】
【００５０】
次に、本発明の第二実施形態について説明する。図11から図13に示すのは、本発明の第二実施形態として手摺枠50を枠組足場１の妻側に設けたのものである。建枠２の連結ピン10の位置や、その係止片12の向き等の構成は第一実施形態と同様である。
【００５１】
妻側の手摺枠50は、第一実施形態の桁側に設けた手摺枠20と同様に、左右一対の縦材51と横材52、上横桟53、下横桟54、手摺取手55を設けて手摺枠50を構成する。この際、左右一対の縦材51の芯間寸法は、建枠２の門形左右の建地パイプ2aの芯間と同一としておく。
【００５２】
一対の掛止金具30の構成は、第一実施形態と同様であるが、妻側の手摺枠50に取り付ける場合は掛け金具30の向きを変更する。手摺枠50の両下端に設ける掛け金具30は、その鞘管部30bが共に手摺枠50に直交方向で、同一の向きになるよう桁側の場合と比べて90°向きを変えて取り付ける。
【００５３】
建枠２の両上端に設けた連結ピン10からは、それぞれ係止片12が建枠２の門形に直交方向（妻側）に突出しているので、桁側同様に掛け金具30を掛止して手摺枠50を設置すれば良い。
【００５４】
このように、第一実施形態に示す桁側の手摺枠20に対して、同一の掛け金具30を、取り付け向きを変えるだけで妻側にも利用することができる。妻側にも手摺枠50を設けることで更に安全性が向上する。
【実施例３】
【００５５】
次に、本発明の第三実施形態について説明する。図16、図17に示すのは、本発明の第三実施形態として巾木60を枠組足場１の桁側に取り付けたものである。
【００５６】
巾木60は巾木本体61とその左右両下端にそれぞれ左右外方へと設けた一対の掛け金具30からなる。巾木本体61は水平な円形パイプの巾木枠61aの左右両端を垂直下方に折り曲げ、その下端をつなぐ巾木板61bを設ける。巾木枠61aの円形パイプは第一実施形態の手摺枠20を構成するパイプと同一のものを使用する。
【００５７】
巾木板61bは断面Ｌ字形に折り曲げた金属板で、Ｌ字断面に直交する方向を長手とし、その長手両端を巾木枠61aの左右両下端をつなぐように溶着して設ける。また、巾木板61b中央には、巾木枠61aの水平な部分と上下につなぐ縦桟61cを設ける。
【００５８】
巾木枠61aの左右略縦材の両下端にそれぞれ左右外方へと一対の掛け金具30を設ける。巾木本体61も、その左右両端を垂直方向の円形パイプで構成することで、第一実施形態の掛け金具30を同様に取り付けることができる。したがって、巾木本体61に設けた掛け金具30を係止片12に対して掛止したり、取り外したりすれば良い。
【００５９】
また、巾木60を取り付けたとき、巾木板61bのＬ字下面を布板３上へと掛け渡すようにしておく。そうすることで、布板３上から道具や部材等を落とすことを防止できる。
【００６０】
このような巾木60を使用するには、第一実施形態の手摺枠20を最上段に先行する先行手摺として順次盛りかえて使用し、手摺枠20を取り外した最上段以外に巾木60を取り付ければ良い。巾木板61bの上方には巾木枠61aが手摺状に枠を形成するから持ち運ぶのも容易で、ブレース４と布板３との間の開口を塞ぐ利点がある。
【００６１】
本実施例では上記のような枠付巾木の例を示したが、もちろん巾木本体を単なる板状に構成しても良く、掛け金具30の固定部30bを平板を挟むような構成にすれば良い。
【００６２】
また、枠組足場１の桁側に巾木60を取り付ける例を示したが、第二実施形態のように、大きさの対応した巾木本体を掛け金具30の向きを変えて妻側に取り付けるようにしても良い。
【００６３】
また、上記の各実施例において、連結ピン10に設けた係止片12と、掛け金具30を２枚の成形した鋼板を互いに重ね合わせて構成した例を示したが、それぞれ鋳物等で一体に構成するようにしても良い。
【図面の簡単な説明】
【００６４】
【図１】本発明の実施の一形態に係る手摺枠を示す正面図である。
【図２】図１の左側面図である。
【図３】図１の平面図である。
【図４】図１の部分拡大図である。
【図５】図３の部分拡大図である。
【図６】本発明の実施の一形態に係る掛止金具を示す斜視図である。
【図７】図６の掛止金具を掛止した状態を示す図である。
【図８】本発明の実施の一形態に係る建枠を積み重ねた状態を示す図である。
【図９】図８の左側面図である。
【図１０】図８の平面図である。
【図１１】本発明の第二実施形態に係る妻側に設けた手摺枠を示す正面図である。
【図１２】図11の左側面図である。
【図１３】図11の平面図である。
【図１４】図11の部分拡大図である。
【図１５】図13の部分拡大図である。
【図１６】本発明の第三実施形態に係る巾木を示す正面図である。
【図１７】図16の平面図である。
【符号の説明】
【００６５】
１  枠組足場
２  建枠
2a  建地パイプ
10  連結ピン
12  係止片
12a  鍔部
30  掛け金具
30b  鞘管部
【図１】
2006249837.tif 000003
【図２】
2006249837.tif 000004
【図３】
2006249837.tif 000005
【図４】
2006249837.tif 000006
【図５】
2006249837.tif 000007
【図６】
2006249837.tif 000008
【図７】
2006249837.tif 000009
【図８】
2006249837.tif 000010
【図９】
2006249837.tif 000011
【図１０】
2006249837.tif 000012
【図１１】
2006249837.tif 000013
【図１２】
2006249837.tif 000014
【図１３】
2006249837.tif 000015
【図１４】
2006249837.tif 000016
【図１５】
2006249837.tif 000017
【図１６】
2006249837.tif 000018
【図１７】
2006249837.tif 000019